(57)【特許請求の範囲】
【請求項１】
ロアカバーと、該ロアカバー内に箱形の電気接続箱を所定の挿入方向に挿入することにより該ロアカバー内に収納された該電気接続箱の前記ロアカバーから露出する部分を覆うように前記ロアカバーに装着されるアッパカバーと、を備えた電気接続箱収納ボックスにおいて、
前記ロアカバーは、前記電気接続箱を収納する空間を囲む複数の壁として、
前記挿入方向に沿って延設され、且つ前記ロアカバー内に前記電気接続箱が収納された際に該電気接続箱の第１側面に臨む第１壁と、前記挿入方向と交差する方向に対向するように前記第１壁から延長され、且つ前記ロアカバー内に前記電気接続箱が収納された際に、該電気接続箱の両側の第２側面および第３側面にそれぞれ臨む第２側壁および第３側壁と、前記ロアカバー内に前記電気接続箱が収納された際に該電気接続箱の前記挿入方向前側の第４側面に臨む第４壁と、前記挿入方向に沿って延設され、且つ前記ロアカバー内に前記電気接続箱が収納された際に該電気接続箱の第５側面に臨むように前記第２側壁および前記第３側壁から連設された第５壁と、
を有し、
前記第１壁には前記ロアカバー内の前記電気接続箱の前記第１側面に向かって突出する突起部が形成され、
前記第５壁は、前記ロアカバー内の前記電気接続箱の前記第５側面の部品が露出されるように形成された開口と、該開口の輪郭の少なくとも一部を形成し且つ前記第２側壁および前記第３側壁から互いに近づくように延長された対向壁部と、を有し、そして
前記ロアカバーが、前記第４壁で該ロアカバー内の前記電気接続箱を支持し、且つ前記突起部と前記対向壁部とで当該電気接続箱を狭持する、
ことを特徴とする電気接続箱収納ボックス。
【請求項２】
前記第１壁が該第１壁に形成された型抜き孔に嵌め込まれたキャップをさらに有し、そして前記キャップに前記突起部が形成されている、
ことを特徴とする請求項１に記載の電気接続箱収納ボックス。
【発明の詳細な説明】
【技術分野】
【０００１】
本発明は、主として車両に搭載される電気接続箱を収容する電気接続箱収納ボックスに関するものである。
【背景技術】
【０００２】
自動車のエンジンルームには、電子部品や電装品を配置した電子回路板を収納するとともに、ワイヤーハーネスの接続分岐点として用いる電気接続箱が取り付けられている。
【０００３】
この電気接続箱は、例えば特許文献１に示すように、電子素子および電装品を配置して構成される電子回路板を収納するメインカバーをロアカバーに重畳し、前記電子回路板に搭載してある電子部品および電装品を保護するアッパカバーを前記メインカバーとロアカバーに装着し、エンジンルーム内に縦置き状態で取り付けられる。
【０００４】
この電気接続箱では、前記ロアカバーの鉛直方向上端部に前記アッパカバーを固定する位置決め構造を設け、前記アッパカバーの鉛直方向上端部に、前記ロアカバーとの隙間を塞ぐ防水部材を設けて、前記ロアカバーを車両のボディに直付け固定するようにしている。
【特許文献１】特開２００４‐１４０９５６号公報
【発明の開示】
【発明が解決しようとする課題】
【０００５】
ところで、電子部品や電装品を取り付けた電子回路板はカバー内に収納されているが、車両の走行中における振動を受けることによって、電子部品や電装品が電子回路板から外れたりしないようにすることが肝要である。従って、電子回路板を持つメインカバーがロアカバーやアッパカバー内でガタ付かないような工夫をすることが重要になる。
【０００６】
本発明は、上述した事情に鑑みてなされたものであり、その目的は、車両の振動に伴う電子回路板等を含む電気接続箱のカバー内におけるガタつきを簡単な構成にて防止することができる電気接続箱収納ボックスを提供することにある。
【課題を解決するための手段】
【０００７】
前述した目的を達成するために、本発明に係る電気接続箱収納ボックスは、  ロアカバーと、該ロアカバー内に箱形の電気接続箱を所定の挿入方向に挿入することにより該ロアカバー内に収納された該電気接続箱の前記ロアカバーから露出する部分を覆うように前記ロアカバーに装着されるアッパカバーと、を備えた電気接続箱収納ボックスにおいて、
前記ロアカバーは、前記電気接続箱を収納する空間を囲む複数の壁として、
前記挿入方向に沿って延設され、且つ前記ロアカバー内に前記電気接続箱が収納された際に該電気接続箱の第１側面に臨む第１壁と、前記挿入方向と交差する方向に対向するように前記第１壁から延長され、且つ前記ロアカバー内に前記電気接続箱が収納された際に、該電気接続箱の両側の第２側面および第３側面にそれぞれ臨む第２側壁および第３側壁と、前記ロアカバー内に前記電気接続箱が収納された際に該電気接続箱の前記挿入方向前側の第４側面に臨む第４壁と、前記挿入方向に沿って延設され、且つ前記ロアカバー内に前記電気接続箱が収納された際に該電気接続箱の第５側面に臨むように前記第２側壁および前記第３側壁から連設された第５壁と、
を有し、
前記第１壁には前記ロアカバー内の前記電気接続箱の前記第１側面に向かって突出する突起部が形成され、
前記第５壁は、前記ロアカバー内の前記電気接続箱の前記第５側面の部品が露出されるように形成された開口と、該開口の輪郭の少なくとも一部を形成し且つ前記第２側壁および前記第３側壁から互いに近づくように延長された対向壁部と、を有し、そして
前記ロアカバーが、前記第４壁で該ロアカバー内の前記電気接続箱を支持し、且つ前記突起部と前記対向壁部とで当該電気接続箱を狭持する、
こと、を特徴としている。
【発明の効果】
【０００８】
本発明の電気接続箱収納ボックスによれば、車両の振動に伴う電子回路板等を含む電気接続箱のカバー内におけるガタつきを簡単な構成にて防止することができる。
【発明を実施するための最良の形態】
【０００９】
本発明に係る電気接続箱収納ボックスは、下記（１）〜（４）を特徴としている。
（１）  ロアカバーと、該ロアカバー内に箱形の電気接続箱を所定の挿入方向に挿入することにより該ロアカバー内に収納された該電気接続箱の前記ロアカバーから露出する部分を覆うように前記ロアカバーに装着されるアッパカバーと、を備えた電気接続箱収納ボックスにおいて、
前記ロアカバーは、前記電気接続箱を収納する空間を囲む複数の壁として、
前記挿入方向に沿って延設され、且つ前記ロアカバー内に前記電気接続箱が収納された際に該電気接続箱の第１側面に臨む第１壁と、前記挿入方向と交差する方向に対向するように前記第１壁から延長され、且つ前記ロアカバー内に前記電気接続箱が収納された際に、該電気接続箱の両側の第２側面および第３側面にそれぞれ臨む第２側壁および第３側壁と、前記ロアカバー内に前記電気接続箱が収納された際に該電気接続箱の前記挿入方向前側の第４側面に臨む第４壁と、前記挿入方向に沿って延設され、且つ前記ロアカバー内に前記電気接続箱が収納された際に該電気接続箱の第５側面に臨むように前記第２側壁および前記第３側壁から連設された第５壁と、
を有し、そして
前記ロアカバーが、その前記第４壁で該ロアカバー内の前記電気接続箱を支持し、且つ前記第１壁と前記第５壁とで当該電気接続箱を狭持する、
こと。
【００１０】
（２）  上記（１）の構成の電気接続箱収納ボックスにおいて、
前記第５壁は、前記ロアカバー内の前記電気接続箱の前記第５側面の部品が露出されるように形成された開口と、該開口の輪郭の少なくとも一部を形成し且つ前記第２側壁および前記第３側壁から互いに近づくように延長された対向壁部と、を有し、そして
前記ロアカバーが、前記第１壁と前記対向壁部とで前記電気接続箱を狭持する、
こと。
【００１１】
（３）  上記（２）の構成の電気接続箱収納ボックスにおいて、
前記第１壁には前記ロアカバー内の前記電気接続箱の前記第１側面に向かって突出する突起部が形成され、そして該突起部と前記対向壁部とによって、前記電気接続箱が狭持される、
こと。
【００１２】
（４）  上記（３）の構成の電気接続箱収納ボックスにおいて、
前記第１壁が該第１壁に形成された型抜き孔に嵌め込まれたキャップをさらに有し、そして前記キャップに前記突起部が形成されている、
こと。
【００１３】
上記（１）の構成の電気接続箱収納ボックスによれば、電気接続箱をロアカバー内に収納した状態においては、その電気接続箱がロアカバーの第１壁と第５壁とで挟圧支持されるため、その厚み方向への電気接続箱のガタつきを抑止できる。従って、電気接続箱内の電子部品等の損傷や断線事故等の発生を未然に回避することができる。また、電気接続箱がロアカバーの空間内に収納されている場合に、アッパカバーをロアカバーから外しても、ロアカバーの第４壁による支持により、電気接続箱がロアカバー内から自由落下するおそれはない。従って、電気接続箱内の電気部品等のメンテナンスを、簡単、迅速に実施できる。
【００１４】
上記（２）の構成の電気接続箱収納ボックスによれば、電気接続箱１０が、ロアカバー内に収納された際、ロアカバーの第５側面に設けられた部品が露出していることにより、アッパカバーをロアカバーから外しただけで、ロアカバーから露出する該部品を取り外すことができる。
【００１５】
上記（３）の構成の電気接続箱収納ボックスによれば、ロアカバーに電気接続箱を収容した際の、ロアカバーの第１壁と電気接続箱の第１側面との間隔と略同じ長さ分だけ突出した突起部を第１壁に形成することによって、電気接続箱は突起部と第５壁との狭持圧力を受け、ロアカバー内に収納された状態において、その厚み方向へのガタつきが抑止される。さらに、電気接続箱がロアカバー内に収納された後に、この電気接続箱に対する第１壁や第５壁の変形等により、これらの間の挟圧力が仮に一部で低下するようなことがあっても、突起部が電気接続箱の底面を支持するため、電気接続箱のガタつきを確実に抑止することができる。さらに、ロアカバーの背面壁に複数個突起部を設けることにより、この効果は高まる。
【００１６】
上記（４）の構成の電気接続箱収納ボックスによれば、ロアカバーに電気接続箱を収容した際の、ロアカバーの第１壁と電気接続箱の第１側面との間隔に適した形状、サイズの突起部を有するキャップを選択可能とすることによって、電気接続箱のロアカバー内への挿入および挟圧支持を確実にすることができる。
【００１７】
以下、本発明の実施形態を、図面を参照して説明する。
（第１実施形態）
図１は本発明に係る実施形態の電気接続箱と収納ボックスの関係を示す斜視図、図２は同電気接続箱を収納ボックスのロアカバーに挿入している途中の状態を示す斜視図、図３は図２の状態の必要部分を断面にして示す斜視図、図４は同電気接続箱を収納ボックスのロアカバーに収納した状態の必要部分を断面にして示す斜視図、図５は同電気接続箱の上ケースと下ケースのロック部の構造を示す外観斜視図、図６は図５のＶＩ−ＶＩ矢視断面部分のロック前の状態を示す図、図７は同電気接続箱を図４の収納ボックスのロアカバーに収納した状態の、挿入方向に垂直な面での断面図である。
【００１８】
図１において、符号１０で示すものは電気接続箱、３０はそれを収納するための収納ボックスであり、収納ボックス３０の外側に、車体へボルト固定するための固定ブラケット７０が付いている。
【００１９】
電気接続箱１０は、樹脂製の上ケース１１と下ケース１２を合わせてできる空間の内部に電気部品（図示略）を収容したものである。また、収納ボックス３０は、ロアカバー（単体で「収納ボックス」ということもある）３１と、その正面を覆うように係合されるアッパカバー３２とからなる。  
【００２０】
電気接続箱１０の上ケース１１は、四角形の正面壁１１Ａと、その四辺に連設された上下壁１１Ｂと、左右側壁１１Ｃと、を有する四角い箱形をなしており、左右側壁１１Ｃの外面（外側面１１Ｃａ）に、溝状の凹み１６と、係合凸部１７とを有している。
【００２１】
溝状の凹み１６は、ロアカバー３１への電気接続箱１０の挿入方向（図１において上から下に向かう方向）に沿って延びており、係合凸部１７は、その凹み１６の延在方向の途中に、挿入方向の後側（上側）に凹み１６ａを残した状態で形成されている。係合凸部１７は、凹み１６の底面から隆起し、且つ、凹み１６の高さ以下の高さを有している。本例では、係合凸部１７は、凹み１６の高さと同等の高さを有し、頂面が外側面１１Ｃａと面一となっている。
【００２２】
また、係合凸部１７の挿入方向の前端面には、図３に示すように、収納ボックス３０のロアカバー３１側の係合部３７への乗り越えを容易にする傾斜面１７ａが設けられている。
【００２３】
この場合、電気接続箱１０は長方形の箱形をなしており、凹み１６と係合凸部１７は、互いに平行をなす電気接続箱１０の２つの外側面１１Ｃａに形成されている。
【００２４】
また、図５、図６に示すように、電気接続箱１０を構成する上ケース１１と下ケース１２は、下ケース１２側の係止突起２１を上ケース１１側の係止孔２２に差し込むことによりロックされており、上ケース１１の外側面１１Ｃａには、その係止孔２２を形成するための射出成形用の型抜き穴２３が存在する。つまり、側壁１１Ｃの一部に、内側に一段引っ込んだ凹み壁１１Ｅを設けてあり、その凹み壁１１Ｅを設けた部分を、係止孔２２を形成する際の型抜き穴２３としている。そこで、本実施形態では、その型抜き穴２３を、係合凸部１７の挿入方向の後側の凹み１６ａとして利用している。
【００２５】
また、図１に示すように、収納ボックス３０のロアカバー３１は、電気接続箱１０を収納する空間３３を取り囲む、背面壁３１Ａと、下壁３１Ｂと、左右側壁３１Ｃと、下側前壁３１Ｄと、左右前壁３１Ｅと、から構成されている。背面壁３１Ａは、電気接続箱１０の挿入方向に沿って延設され、且つロアカバー３１内に電気接続箱１０が収納された際に電気接続箱１０の底面に臨む。下壁３１Ｂは、ロアカバー３１内に電気接続箱１０が収納された際に電気接続箱１０の挿入方向前側の側面に臨む。左右側壁３１Ｃは、電気接続箱１０の挿入方向と交差する方向に対向するように背面壁３１Ａから延長され、且つロアカバー３１内に電気接続箱１０が収納された際に、電気接続箱１０の左右側壁１１Ｃにそれぞれ臨む。下側前壁３１Ｄと、左右前壁３１Ｅは、挿入方向に沿って延設され、且つロアカバー３１内に電気接続箱１０が収納された際に電気接続箱１０の正面壁１１Ａに臨むように左右側壁３１Ｃから連設される。なお、ロアカバー３１には、下側前壁３１Ｄと左右前壁３１Ｅとによって、電気接続箱１０の正面壁１１Ａ上に設けられた部品が露出する開口が形成されている。具体的には、下側前壁３１Ｄと左右前壁３１Ｅが、該開口の輪郭の少なくとも一部を形成し且つ左右側壁３１Ｃから互いに近づくように延長されている。図１では、電気接続箱１０は、ロアカバー３１内に収納された際、前面中央部分から上面にかけての範囲が露出している。電気接続箱１０の正面壁１１Ａ上に設けられた部品が露出していることにより、アッパカバー３２をロアカバー３１から外しただけで、ロアカバー３１から露出する該部品を取り外すことができる。
【００２６】
本実施形態においては、電気接続箱１０は一定の方向から（図１では、下方に向かって）ロアカバー３１内に挿入することにより、ロアカバー３１内に収納される。電気接続箱１０を収納したロアカバー３１では、ロアカバー３１は、電気接続箱１０を背面壁３１Ａと、下壁３１Ｂと、左右側壁３１Ｃと、下側前壁３１Ｄと、左右前壁３１Ｅとによって囲む。このとき、図７に示すように、電気接続箱１０は、背面壁３１Ａと左右前壁３１Ｅとによって該電気接続箱１０の厚み方向に狭持される。
【００２７】
従って、電気接続箱１０は背面壁３１Ａと左右前壁３１Ｅとの狭持圧力を受け、ロアカバー３１内に収納された状態において、その厚み方向へのガタつきが抑止される。
【００２８】
また、電気接続箱１０がロアカバー３１の空間３３内に収納されている場合に、アッパカバー３２をロアカバー３１から外しても、前記のような背面壁３１Ａおよび左右前壁３１Ｅによる挟圧支持により、電気接続箱１０はロアカバー３１から自由落下するおそれがない。従って、電気接続箱１０内の電気部品等のメンテナンスを、簡単、迅速に実施できる。
【００２９】
また、左右側壁３１Ｃの内面（内側面３１Ｃａ）に、図３に示すように、電気接続箱１０の挿入時に係合凸部１７に押されて変位することにより、係合凸部１７の乗り越えを許して、その上で該係合凸部１７の後面と係合する係合突起３７が設けられている。ロアカバー３１の係合突起３７も、互いに平行をなす左右側壁３１Ｃの各内側面３１Ｃａに形成されている。また、その同じ内側面３１Ｃａに、前記凹み１６に対応して配置されることで電気接続箱１０の挿入動作を案内するガイド用のリブ３４が設けられている。
【００３０】
また、凹み１６を形成した上ケース１１の外側面１１Ｃａと直交する関係にある下ケース１２の背面と、当該下ケース１２の背面に対向する収納ボックス３０のロアカバー３１の背面壁３１Ａの内側面３１Ａａとが、電気接続箱１０の外側面１１Ｃａとロアカバー３１の内側面３１Ｃａの関係と同様に、電気接続箱１０をロアカバー３１へ挿入する際の動作をガイドするガイド面として機能するように構成されている。
【００３１】
このような構成の収納ボックス３０に電気接続箱１０を収納する場合は、電気接続箱１０を上方からロアカバー３１に挿入する。そうすると、ロアカバー３１の内側面３１Ａａ、３１Ｃａおよびリブ３４に案内されることにより、スムーズに電気接続箱１０をロアカバー３１内の空間３３に挿入することができる。
【００３２】
そして、その挿入時に、挿入方向と平行に相対面する電気接続箱１０側の外側面１１Ｃａとロアカバー３１側の内側面３１Ｃａにそれぞれ設けられた係合凸部１７と係合突起３７が互いに係合することにより、電気接続箱１０がロアカバー３１に抜け止め固定される。
【００３３】
その状態で、アッパカバー３２をロアカバー３１に被せてロックすることにより、電気接続箱１０を収納ボックス３０に収納・固定した状態で保護することができる。
【００３４】
電気接続箱１０の外側面１１Ｃａに突起物をいきなり設けるのではなく、電気接続箱１０の外側面１１Ｃａに、該電気接続箱１０の挿入方向に延びる凹み１６を形成して、その凹み１６の中に、凹み１６以上の高さを有しないように係合凸部１７を設けている。このため、外側面１１Ｃａの表面の出っ張りを無くすことができる。従って、出っ張りがない分だけ、寸法を削ることができ、省スペース化に貢献することができる。
【００３５】
また、係合凸部１７を凹み１６の中に形成してある。このため、電気接続箱１０を落としたりぶつけたりした場合でも、係合凸部１７が変形したり破損したりしにくく、収納ボックス３０のロアカバー３１に正常にガタつきなく嵌め込むことができる。また、係合凸部１７を保護するためにガイドレールを敢えて設ける必要がないため、ガイドレールのような突出物によらずに、凹み１６を設けた外側面１１Ｃａ自体をガイド面として電気接続箱１０を収納ボックス３０のロアカバー３１に挿入できる。このため、射出成形上の制限からガイドレールが分断されていて、そのためにガイド性能に不具合が生じる、というようなことがなくなり、組付性の改善が図れる。
【００３６】
係合凸部１７の挿入方向の前面には傾斜面１７ａを設けてある。このため、スムーズにロアカバー３１側の係合突起（係合部）３７と係合させることができ、組付作業性の向上が図れる。
【００３７】
また、凹み１６と係合凸部１７を、互いに平行をなす電気接続箱１０の２つの外側面１１Ｃａに形成し、収納ボックス３０のロアカバー３１側についても、互いに平行をなす２つの内側面３１Ｃａに係合突起３７を設けている。これにより、左右両側で電気接続箱１０をバランスよく安定的に固定することができる。
【００３８】
さらに、凹み１６とリブ３４をガイドにして電気接続箱１０を挿入できるようにしている上、直交する２面をガイドにして電気接続箱１０をロアカバー３１に挿入できるようにしている。これにより、組付をよりスムーズに行うことができ、組付作業性の向上が図れる。
【００３９】
このように、本実施形態では、電気接続箱１０ロアカバー３１内に挿入することにより、ロアカバー３１内に電気接続箱１０を収納するとともに、ロアカバー３１にアッパカバー３２が装着される電気接続箱１０の収納ボックス３０において、ロアカバー３１が、電気接続箱１０を収納する空間を囲む背面壁３１Ａと、下壁３１Ｂと、左右側壁３１Ｃと、下側前壁３１Ｄと、左右前壁３１Ｅとから構成され、電気接続箱１０を背面壁３１Ａと左右前壁３１Ｅとによって電気接続箱１０の厚み方向に挟圧保持する構成としたことにより、電気接続箱１０をロアカバー３１内に収納した状態において、電気接続箱１０の厚み方向へガタ付くことを防止することができる。
【００４０】
尚、電気接続箱１０を背面壁３１Ａと左右前壁３１Ｅとによって電気接続箱１０の厚み方向に挟圧保持する構成について説明したが、背面壁３１Ａと下側前壁３１Ｄとによって電気接続箱１０の厚み方向に挟圧保持する構成であっても同様の効果が得られる。また、ロアカバー３１が電気接続箱１０の正面壁１１Ａ上に設けられた部品が露出する開口を有するように説明したが、この開口が設けられず代りに壁部が形成されている場合には、背面壁３１Ａと該壁部とによって電気接続箱１０の厚み方向に挟圧保持する構成であってもよい。
【００４１】
（第２実施形態）
電気接続箱のがた止めの他の実施形態を、図８から図１３に示す。図８は本発明の実施形態の電気接続箱におけるロアカバーとキャップの分解斜視図であり、図９は前記キャップを装着するロアカバーの型抜き用の開口の一部構成を示す斜視図であり、図１０は前記キャップの構成図であって、図１０（ａ）は表側から見た斜視図、図１０（ｂ）は裏側から見た斜視図、そして図１０（ｃ）は図３（ａ）のＩＩＩｃ−ＩＩＩｃ矢視断面図であり、図１１は前記ロアカバーの型抜き用の開口をキャップで塞いだ状態を示す斜視図であり、図１２は、図１１の状態のロアカバーに電気接続箱を装着しようとしている状態を示す斜視図であり、図１３は前記電気接続箱を装着した状態におけるキャップ装着部の断面図である。
【００４２】
この実施形態では、電気接続箱１０をロアカバー４０へ挿入する際の動作をガイドする背面壁４１の内側面の型抜き用の矩形の開口４２に、複数箇所に亘ってキャップ５０が嵌め込まれている。以下、キャップ５０の構造と、キャップ５０が嵌め込まれる型抜き用の開口４２付近の構造について説明する。
【００４３】
樹脂成形品には、成形上の都合により、金型を抜くための型抜き孔が生じることがある。防水性を要求される電気接続箱のロアカバー４０にこの種の型抜き孔が存在すると、その型抜き孔から雨水等が浸入するおそれがあるので、一般的には、型抜き孔をキャップ５０で塞ぐことが行なわれている。
【００４４】
本実施形態の電気接続箱収納ボックスは、図８、図１２に示す合成樹脂（例：ＰＰＥ）製のロアカバー４０に電気接続箱１０を収容するもので、電気接続箱１０を収容する空間を囲む壁面として、背面壁４１と、左右前壁２０と、少なくとも含んでいる。背面壁４１には、図８に示すように、ロアカバー４０を樹脂成形する際の型抜き用の矩形の開口４２が、分散配置された状態で複数（図示例では６個）設けられている。
【００４５】
この場合、ロアカバー１０の背面壁４１の内面には、図１３に示すように、電気接続箱１０の底面１０Ａが当接するリブ４６が突設されており、図９に示すように、そのリブ４６で囲まれた内側の凹部４７の底面４７ａに、型抜き用の開口４２が形成されている。また、ロアバー４０には、収容した電気接続箱１０をロックするために、図１２に示すように、電気接続箱１０側のロック部１５と係合するロック部４５が設けられている。
【００４６】
また、各型抜き用の開口４２を塞ぐために、合成樹脂（例：ＰＰ）製のキャップ５０が、図１１に示すように、ロアカバー４０の内部から各型抜き用の開口４２に嵌められてロックされている。
【００４７】
キャップ５０は、図１０（ａ）〜（ｃ）に示すように、ロアカバー４０の矩形の型抜き用の開口４２より大きな長方形状をなした面板５１と、該面板５１の裏面側に突設されて型抜き用の開口４２の内周に嵌まる矩形枠状の周側壁５２と、この周側壁５２の相対向する長辺部に突設された４つのロック部５３とを有している。
【００４８】
面板５１は、全周の周縁部を、ロアカバー４０の凹部４７の底面４７ａに密着するフランジ部５１ａとなしたものであり、このフランジ部５１ａより内側に前記周側壁５２が突設されている。各ロック部５３の先端外面には係合突起５３ａが設けられており、各係合突起５３ａを成形するために、フランジ部５１ａには型抜き孔５４が形成されている。つまり、図１０（ｃ）に示すように、係合突起５３ａの外方への突出量ｅを確保するために、面板５１のフランジ部５１ａに型抜き孔５４が形成されている。
【００４９】
一方、図９に示すように、ロアカバー４０の型抜き用の開口４２の周縁部の裏面側には、各ロック部５３の係合突起５３ａの係合する係合凹部４３が設けられ、その係合凹部４３へ係合突起５３ａが入りやすくするために、型抜き用の開口４２の周縁部の表面側には面取部４４が設けられている。
【００５０】
また、キャップ５０の各型抜き孔５４の表面側の周縁部には、型抜き孔５４（キャップ５０自体にも、該キャップ５０を形成するための小さな型抜き孔が存在する）の全周にわたり連続した肉盛部５５が設けられている。この肉盛部５５は、キャップ５０を、凹部４７の底面４７ａに形成された型抜き用の開口４２に嵌め込んだ状態で、凹部４７から（即ちリブ４６の上端から）突出する高さｆに形成されている。
【００５１】
そして、キャップ５０を各型抜き用の開口４２に嵌め込み、ロック部５３の係合突起５３ａを、ロアカバー４０側の係合凹部４３に係合させた状態（図１１参照）で、図１２に示すように、電気接続箱１０がロアカバー４０の内部に収容されており、これにより、図１３に示すように、電気接続箱１０の底面１０Ａが、ロアカバー４０のリブ４６の上面に当接し、その状態で、電気接続箱１０の底面１０Ａが、凹部４７から突出したキャップ５０の肉盛部５５に密着し、電気接続箱１０の底面１０Ａでキャップ５０の型抜き孔５４を塞いでいる。また、キャップ５０のフランジ部５１ａが、凹部４７の底面４７ａに密着している。つまり、肉盛部５５には、電気接続箱１０の底面１０Ａから押圧力Ｐが加えられ、フランジ部５１ａと凹部４７の底面４７ａとの間には押圧力Ｐが作用している。
【００５２】
この構成により、電気接続箱１０の底面には、ロアカバー４０に収容された際、ロアカバー４０の型抜き用の開口４２に嵌め込まれたキャップ５０の肉盛部５５から押圧力Ｐが作用する。この結果、電気接続箱１０は背面壁４１から突出した肉盛部５５と左右前壁２０との狭持圧力を受け、ロアカバー４０内に収納された状態において、その厚み方向へのガタつきがより一層確実に抑止される。
【００５３】
また、この構成により、前記ガタつきを抑止するのに最適の突出形状を有する肉盛部５５を持つキャップ５０を選んで使用することができる。つまり、ロアカバー４０に電気接続箱１０を収容した際の、ロアカバー４０の背面壁４１の内側面と電気接続箱１０の底面１０Ａの間隔と略同じ高さＦ分突出した肉盛部５５を持つキャップ５０を選択し、ロアカバー４０の型抜き用の開口４２にキャップ５０を嵌め込むことによって、電気接続箱１０は背面壁４１から突出した肉盛部５５と左右前壁２０との狭持圧力を受け、ロアカバー４０内に収納された状態において、その厚み方向へのガタつきがより一層確実に抑止される。
【００５４】
このキャップ５０は、背面壁４１の内側面に例えば６箇所宛取り付けられる。このキャップ５０の設置数および配置は、背面壁４１の内側面と左右前壁２０との間への、電気接続箱１０の円滑な挿入およびバランスの取れた挟圧支持を考慮して決められる。
【００５５】
従って、電気接続箱１０がロアカバー４０内に収納された後に、この電気接続箱１０に対する左右前壁２０や背面壁４１の変形等により、これらの間の挟圧力が一部で低下するようなことがあっても、キャップ５０の肉盛部５５が挟圧力を維持するため、電気接続箱１０のガタつきを確実に抑止することができる。
【００５６】
また、キャップ５０をロアカバー４０の背面壁４１に着脱可能とする場合には、電気接続箱１０の厚みに適した形状、サイズの肉盛部５５を持つキャップ５０を選択して用いることができる。これにより電気接続箱１０のロアカバー４０内への挿入および挟圧支持を確実にすることができる。
【００５７】
なお、本実施形態では、ロアカバー４０の型抜き用の開口４２にキャップ５０を嵌め込み、キャップ５０の肉盛部５５と左右前壁２０とによって電気接続箱１０を狭持する構成を説明した。ロアカバー４０の背面壁４１の内側部にその内側部から突出する突起部を形成し、その突起部と左右前壁２０とによって電気接続箱１０を狭持する構成であっても、電気接続箱１０のガタつきを確実に抑止することができる。この突起部は、例えば、本実施形態のリブ４６に相当する。電気接続箱１０の底面には、ロアカバー４０に収容された際、ロアカバー４０の背面壁４１の内側部に形成されたリブ４６から押圧力が作用する。この結果、電気接続箱１０は背面壁４１から突出したリブ４６と左右前壁２０との狭持圧力を受け、ロアカバー４０内に収納された状態において、その厚み方向へのガタつきがより一層確実に抑止される。
【００５８】
ところで、先行発明に係る電気接続箱収納ボックスには、図１４、図１５及び図１６に示すようなものがある。図１４は、先行発明に係る電気接続箱収納ボックスを示す斜視図であり、図１５は、先行発明に係る電気接続箱収納ボックスの分解斜視図であり、図１６は、先行発明に係る電気接続箱収納ボックスの組付け完成状態の斜視図である。先行発明に係る電気接続箱収納ボックスでは、ブラケット１１０は、電気接続箱１０１の所定の取付スペースの車体パネルなどに溶接、ボルト締め等で予め固定されている。先ず、電気接続箱本体１０２をアンダーケース部材１０４とアッパーケース部材１０５内に収容してアンダーケース部材１０４とアッパーケース部材１０５を合わせ面１０４ａ、１０５ａによって付き合せ、ロック係止部１０４ｃ、１０５ｃによってロックして電気接続箱１０１を組み付ける。この組み付けた電気接続箱１０１をブラケット１１０の背面プレート部に沿って上方からスライド挿入し、アンダーケース部材１０４とアッパーケース部材１０５の左右一対の係止突起部１０６、１０７をブラケット１１０の左右一対のケースフック部１１２にそれぞれ係止させるまで挿入する。これで、電気接続箱１０１の取付けが完了する。アンダーケース部材１０４の係止突起部１０６とアッパーケース部材１０５の係止突起部１０７とをケースフック部１１２で挟み込むことにより電気接続箱１０１のガタツキを防止している。
【００５９】
上述した先行発明に係る電気接続箱収納ボックスと、本発明に係る電気接続箱収納ボックスと、を比較すると、本発明に係る電気接続箱収納ボックスには次の効果が得られる。すなわち、上ケース１１、下ケース１２によって形成される空間に収容した電気接続箱のガタツキを、ブラケットに設けられたケースフック部を利用することなく、防止することができるため、ブラケットをより簡易な構造に形成することができる。さらに、ケースフック部を削除することでブラケットの平面展開時の面積が大幅に小さくなり、ブラケット形成時の材料の歩留まりを向上するとともに、材料費の削減にも寄与する。
【図面の簡単な説明】
【００６０】
【図１】本発明の実施形態の電気接続箱と収納ボックスの関係を示す斜視図である。
【図２】同電気接続箱を収納ボックスのロアカバーに挿入している途中の状態を示す斜視図である。
【図３】図２の状態を必要部分を断面にして示す斜視図である。
【図４】同電気接続箱を収納ボックスのロアカバーに収納した状態を必要部分を断面にして示す斜視図である。
【図５】同電気接続箱の上ケースと下ケースのロック部の構造を示す外観斜視図である。
【図６】図５のＶＩ−ＶＩ矢視断面部分のロック前の状態を示す図である。
【図７】同電気接続箱を図４の収納ボックスのロアカバーに収納した状態の、挿入方向に垂直な面での断面図
【図８】本発明の実施形態の電気接続箱における外装カバーとキャップの分解斜視図
【図９】前記キャップを装着するロアカバーの型抜き用の開口の一部構成を示す斜視図
【図１０】前記キャップの構成図であって、図１０（ａ）は表側から見た斜視図、図１０（ｂ）は裏側から見た斜視図、そして図１０（ｃ）は図１０（ａ）のＩＩＩｃ−ＩＩＩｃ矢視断面図
【図１１】前記ロアカバーの型抜き用の開口をキャップで塞いだ状態を示す斜視図
【図１２】図１１の状態のロアカバーに電気接続箱を装着しようとしている状態を示す斜視図
【図１３】前記電気接続箱を装着した状態におけるキャップ装着部の断面図
【図１４】先行発明に係る電気接続箱収納ボックスを示す斜視図
【図１５】先行発明に係る電気接続箱収納ボックスの分解斜視図
【図１６】先行発明に係る電気接続箱収納ボックスの組付け完成状態の斜視図
【符号の説明】
【００６１】
１０  電気接続箱
１１  上ケース
１１Ｃａ  外側面
１２  下ケース
１７  係合凸部
１７ａ  傾斜面
１６  凹み
１６ａ  凹み
２３  型抜き穴
３０  収納ボックス
３１  ロアカバー
３１Ｃａ  内側面
３１Ａａ  内側面
３２  アッパカバー
３４  リブ
３７  係合突起
３８  キャップ
３８ａ  基材
３８ｂ  突起部
【図１】
0005147492.tif 000002
【図２】
0005147492.tif 000003
【図３】
0005147492.tif 000004
【図４】
0005147492.tif 000005
【図５】
0005147492.tif 000006
【図６】
0005147492.tif 000007
【図７】
0005147492.tif 000008
【図８】
0005147492.tif 000009
【図９】
0005147492.tif 000010
【図１０】
0005147492.tif 000011
【図１１】
0005147492.tif 000012
【図１２】
0005147492.tif 000013
【図１３】
0005147492.tif 000014
【図１４】
0005147492.tif 000015
【図１５】
0005147492.tif 000016
【図１６】
0005147492.tif 000017